(57)【要約】  分類パターンを設定する作業を容易にし、オペレータの誤操作を防ぐために、分類パターンに基づいて紙幣を集積する紙幣処理装置１００に対して、前記分類パターンを作成する分類パターン作成方法であって、集積する紙幣の金種について、複数の候補から１つを選択する金種選択ステップ（Ｓ５０１）と、集積する紙幣の刷種について、前記金種選択ステップの選択内容と独立に複数の候補から１つを選択する刷種選択ステップと（Ｓ５０２）、集積する紙幣の方向について、前記金種選択ステップ及び前記刷種選択ステップの選択内容と独立に複数の候補から１つを選択する方向選択ステップと（Ｓ５０３）、集積する紙幣の正損について、前記金種選択ステップ、前記刷種選択ステップ、及び前記方向選択ステップの選択内容と独立に複数の候補から１つを選択する正損選択ステップと（Ｓ５０４）、前記金種選択ステップ、前記刷種選択ステップ、前記方向選択ステップ、及び前記正損選択ステップの選択内容を組み合わせて前記分類パターンを作成する作成ステップと（Ｓ５０５）と、を備えたことを特徴とする分類パターン作成方法が提供される。
2008096429.tif 000002
【特許請求の範囲】
【請求項１】
分類パターンに基づいて紙幣を集積する紙幣処理装置に対して、前記分類パターンを作成する分類パターン作成方法であって、
集積する紙幣の金種について、複数の候補から１つを選択する金種選択ステップと、
集積する紙幣の刷種について、前記金種選択ステップの選択内容と独立に複数の候補から１つを選択する刷種選択ステップと、
集積する紙幣の方向について、前記金種選択ステップ及び前記刷種選択ステップの選択内容と独立に複数の候補から１つを選択する方向選択ステップと、
集積する紙幣の正損について、前記金種選択ステップ、前記刷種選択ステップ、及び前記方向選択ステップの選択内容と独立に複数の候補から１つを選択する正損選択ステップと、
前記金種選択ステップ、前記刷種選択ステップ、前記方向選択ステップ、及び前記正損選択ステップの選択内容を組み合わせて前記分類パターンを作成する作成ステップと、を備えたことを特徴とする分類パターン作成方法。
【請求項２】
前記作成ステップにより作成された分類パターンを記憶する記憶ステップをさらに備えた請求項１に記載の分類パターン作成方法。
【請求項３】
前記記憶ステップにおいて記憶された分類パターンを読み出し、当該分類パターンについて前記金種選択ステップ、前記刷種選択ステップ、前記方向選択ステップ、及び前記正損選択ステップの選択内容を組み合わせて編集する編集ステップと、をさらに備え、
前記記憶ステップは、前記編集ステップにおいて編集された分類パターンを記憶する請求項２に記載の分類パターン作成方法。
【請求項４】
前記金種選択ステップ、前記刷種選択ステップ、前記方向選択ステップ、及び前記正損選択ステップの選択内容の組み合わせの正当性を確認する確認ステップをさらに備えた請求項１乃至３のいずれか１項に記載の分類パターン作成方法。
【請求項５】
前記作成ステップは、前記確認ステップにおいて前記選択内容の組み合わせの正当性が確認された場合に、当該選択内容を組み合わせて前記分類パターンを作成する請求項４に記載の分類パターン作成方法。
【請求項６】
前記確認ステップにおいて前記選択内容の正当性が確認されなかった場合に、正当でない項目を報知する報知ステップをさらに備えた請求項４に記載の分類パターン作成方法。
【請求項７】
前記確認ステップにおいて前記選択内容の正当性が確認されなかった場合に、正当でない項目に代えて正当な項目を入力させるための入力支援を行う入力支援ステップをさらに備えた請求項４に記載の分類パターン作成方法。
【請求項８】
前記入力支援ステップは、正当でない項目に代えて正当な項目を表示する請求項７に記載の分類パターン作成方法。
【請求項９】
前記金種選択ステップ、前記刷種選択ステップ、前記方向選択ステップ、及び前記正損選択ステップの選択内容をグラフィック表示する表示ステップをさらに備えた請求項１乃至３のいずれか１項に記載の分類パターン作成方法。
【請求項１０】
分類パターンに基づいて紙幣を集積する紙幣処理装置に対して前記分類パターンを作成する分類パターン作成装置であって、  
集積する紙幣の金種について、複数の候補から１つを選択する金種選択手段と、
集積する紙幣の刷種について、前記金種選択手段の選択内容と独立に複数の候補から１つを選択する刷種選択手段と、
集積する紙幣の方向について、前記金種選択手段及び前記刷種選択手段の選択内容と独立に複数の候補から１つを選択する方向選択手段と、
集積する紙幣の正損について、前記金種選択手段、前記刷種選択手段、及び前記方向選択手段の選択内容と独立に複数の候補から１つを選択する正損選択手段と、
前記金種選択手段、前記刷種選択手段、前記方向選択手段、及び前記正損選択手段の選択内容を組み合わせて前記分類パターンを作成する作成手段と、を備えたことを特徴とする分類パターン作成装置。
【請求項１１】
前記作成手段により作成された分類パターンを記憶する記憶手段をさらに備えた請求項１０に記載の分類パターン作成装置。
【請求項１２】
前記記憶手段に記憶された分類パターンを読み出し、当該分類パターンについて前記金種選択手段、前記刷種選択手段、前記方向選択手段、及び前記正損選択手段の選択内容を組み合わせて編集する編集手段をさらに備え、
前記記憶手段は、前記編集手段により編集された分類パターンを記憶する請求項１１に記載の分類パターン作成装置。
【請求項１３】
前記金種選択手段、前記刷種選択手段、前記方向選択手段、及び前記正損選択手段の選択内容の組み合わせについての正当性を確認する確認手段をさらに備えた請求項１０乃至１２のいずれか１項に記載の分類パターン作成装置。
【請求項１４】
前記作成手段は、前記確認手段により前記選択内容の組み合わせの正当性が確認された場合に、当該選択内容を組み合わせて前記分類パターンを作成する請求項１３に記載の分類パターン作成装置。
【請求項１５】
前記確認手段により前記選択内容の組み合わせの正当性が確認されなかった場合に、正当でない項目を報知する報知手段をさらに備えた請求項１３に記載の分類パターン作成装置。
【請求項１６】
前記確認手段により前記選択内容の正当性が確認されなかった場合に、正当でない項目に代えて正当な項目を入力させる入力支援手段をさらに備えた請求項１３に記載の分類パターン作成装置。
【請求項１７】
前記入力支援手段は、正当でない項目に代えて正当な項目を表示する請求項１６に記載の分類パターン作成装置。
【請求項１８】
前記金種選択手段、前記刷種選択手段、前記方向選択手段、及び前記正損選択手段の選択内容をグラフィック表示する表示手段をさらに備えた請求項１０乃至１２のいずれか１項に記載の分類パターン作成装置。
【請求項１９】
前記記憶手段は、前記紙幣処理装置において読み取り可能な着脱式の記憶媒体である請求項１１又は１２に記載の分類パターン作成装置。
【請求項２０】
前記作成手段により作成された前記分類パターンを前記紙幣処理装置との間の通信を行うネットワークを介して当該紙幣処理装置に送信する送信手段と、をさらに備えた請求項１０乃至１２のいずれか１項に記載の分類パターン作成装置。
【請求項２１】
分類パターンに基づいて紙幣を集積する紙幣処理装置と、前記紙幣処理装置に対して前記分類パターンを作成する分類パターン作成装置と、前記紙幣処理装置と前記分類パターン作成装置との間の通信を行うための第１ネットワークと、を含む分類パターン作成システムであって、
前記分類パターン作成装置は、
集積する紙幣の金種について、複数の候補から１つを選択する金種選択手段と、
集積する紙幣の刷種について、前記金種選択手段の選択内容と独立に複数の候補から１つを選択する刷種選択手段と、
集積する紙幣の方向について、前記金種選択手段及び前記刷種選択手段の選択内容と独立に複数の候補から１つを選択する方向選択手段と、
集積する紙幣の正損について、前記金種選択手段、前記刷種選択手段、及び前記方向選択手段の選択内容と独立に複数の候補から１つを選択する正損選択手段と、
前記金種選択手段、前記刷種選択手段、前記方向選択手段、及び前記正損選択手段の選択内容を組み合わせて前記分類パターンを作成する作成手段と、
前記作成手段により作成された前記分類パターンを前記紙幣処理装置に送信する第１送信手段を備え、
前記紙幣処理装置は、
前記第１送信手段により送信された前記分類パターンを記憶するメモリを備えたことを特徴とする分類パターン作成システム。
【請求項２２】
前記分類パターン作成装置は、前記作成手段により作成された分類パターンを記憶する記憶手段をさらに備えた請求項２１に記載の分類パターン作成システム。
【請求項２３】
前記分類パターン作成装置は、前記記憶手段に記憶された分類パターンを読み出し、当該分類パターンについて前記金種選択手段、前記刷種選択手段、前記方向選択手段、及び前記正損選択手段の選択内容を組み合わせて編集する編集手段をさらに備え、
前記記憶手段は、前記編集手段により編集された分類パターンを記憶する請求項２２に記載の分類パターン作成システム。
【請求項２４】
前記分類パターン作成装置は、前記金種選択手段、前記刷種選択手段、前記方向選択手段、及び前記正損選択手段の選択内容の組み合わせについての正当性を確認する確認手段をさらに備えた請求項２１乃至２３のいずれか１項に記載の分類パターン作成システム。
【請求項２５】
前記作成手段は、前記確認手段により前記選択内容の組み合わせの正当性が確認された場合に、当該選択内容を組み合わせて前記分類パターンを作成する請求項２４に記載の分類パターン作成システム。
【請求項２６】
前記分類パターン作成装置は、前記確認手段により前記選択内容の組み合わせの正当性が確認されなかった場合に、正当でない項目を報知する報知手段をさらに備えた請求項２４に記載の分類パターン作成システム。
【請求項２７】
前記分類パターン作成装置は、前記確認手段により前記選択内容の正当性が確認されなかった場合に、正当でない項目に代えて正当な項目を入力させる入力支援手段をさらに備えた請求項２４に記載の分類パターン作成システム。
【請求項２８】
前記入力支援手段は、正当でない項目に代えて正当な項目を表示する請求項２７に記載の分類パターン作成システム。
【請求項２９】
前記分類パターン作成装置は、前記金種選択手段、前記刷種選択手段、前記方向選択手段、及び前記正損選択手段の選択内容をグラフィック表示する表示手段をさらに備えた請求項２１乃至２３のいずれか１項に記載の分類パターン作成システム。
【請求項３０】
前記紙幣処理装置は、
前記紙幣処理装置の上部位置に設けられ、載置された複数の紙幣を１枚ずつ取り込む取込手段と、
前記取込手段により取り込まれた紙幣を識別する識別手段と、
前記紙幣処理装置の上部位置に設けられ、リジェクト紙幣を集積する第１上部集積手段と、
前記第１上部集積手段に隣接して設けられ、リジェクト紙幣以外の紙幣を集積する第２上部集積手段と、
前記紙幣処理装置の下部位置に並列に設けられ、少なくとも１つの特定金種の紙幣を集積する第１乃至第４下部集積手段と、
前記取込手段により取り込まれた紙幣を前記第１上部集積手段、前記第２上部集積手段、又は前記第１乃至第４下部集積手段の何れかへ搬送する搬送手段と、
前記メモリに記憶された前記分類パターンに基づいて前記搬送手段を制御する制御手段と、を備えた請求項２１に記載の分類パターン作成システム。
【請求項３１】
前記分類パターン作成装置は、記憶媒体との間の分類パターンの読み出し及び書き込みを行う第１記憶媒体アクセス手段をさらに備え、
前記紙幣処理装置は、前記記憶媒体との間の分類パターンの読み出し及び書き込みを行う第２記憶媒体アクセス手段をさらに備え、
前記メモリは、前記第２記憶媒体アクセス手段により読み出された前記分類パターンを記憶する請求項３０に記載の分類パターン作成システム。
【請求項３２】
前記紙幣処理装置は、
前記メモリに記憶された複数の分類パターンの中から使用する分類パターンを設定する設定手段をさらに備え、
前記制御手段は、前記設定手段により設定された分類パターンに基づいて前記搬送手段を制御する請求項３１に記載の分類パターン作成システム。
【請求項３３】
前記分類パターン作成装置は、前記制御手段に対する指示を発行する第１指示手段をさらに備え、
前記第１送信手段は、前記第１指示手段により発行された指示を前記第１ネットワークを介して前記紙幣処理装置に送信し、
前記制御手段は、前記第１送信手段により送信された前記指示及び前記メモリに記憶された分類パターンに基づいて前記搬送手段を制御する請求項請求項３０乃至３２のいずれか１項に記載の分類パターン作成システム。
【請求項３４】
前記分類パターン作成装置は、前記第１ネットワークを介して複数の紙幣処理装置と接続され、
前記第１送信手段は、前記作成手段により作成された分類パターンを前記第１ネットワークを介して前記複数の紙幣処理装置に一括して送信し、
前記複数の紙幣処理装置の各制御手段は、前記第１送信手段により送信された前記指示及び前記メモリに記憶された分類パターンに基づいて前記搬送手段を制御する請求項３０乃至３２のいずれか１項に記載の分類パターン作成システム。
【請求項３５】
前記分類パターン作成装置と第２ネットワークを介して接続されたホスト装置をさらに備え、
前記ホスト装置は、
前記金種選択手段、前記刷種選択手段、前記方向選択手段、及び前記正損選択手段の選択内容を指示する第２指示手段と、
前記第２指示手段の指示内容を前記第２ネットワークを介して前記分類パターン作成装置に送信する第２送信手段と、を備え、
前記作成手段は、前記第２送信手段により送信された指示内容を組み合わせて前記分類パターンを作成する請求項２１に記載の分類パターン作成システム。
【請求項３６】
前記ホスト装置は、前記第２ネットワークを介して複数の分類パターン作成装置と接続され、
前記第２送信手段は、第２指示手段の指示内容を前記第２ネットワークを介して前記複数の分類パターン作成装置に一括して送信する請求項３５に記載の分類パターン作成システム。
【発明の詳細な説明】
【技術分野】
【０００１】
本発明は、分類パターン作成装置、分類パターン作成方法、及び分類パターン作成システムに関し、特に、紙幣処理装置において用いられる分類パターンを作成するための分類パターン作成装置、分類パターン作成方法、及び分類パターン作成システムに関する。
【背景技術】
【０００２】
近年、紙幣を分類して集積する紙幣処理装置は様々な業種において用いられている。紙幣の分類の仕方は業種毎に多様化しており、多様な分類パターンに対応できる紙幣処理装置が求められている。【０００３】
これに対して、特許文献１の紙幣処理装置が知られている。特許文献１の紙幣処理装置は、複数の分類パターンを記憶し、それらの中から任意の分類パターンを１つ設定するものである。そのため、紙幣処理装置に記憶されていない分類パターンを設定する場合は、紙幣処理装置の操作部や表示部を用いて編集し、設定していた。また、集積部が多くなるにつれて分類パターンの設定も複雑になっていた。また、同じ分類パターンを複数の紙幣処理装置に設定する場合は、各紙幣処理装置に対して同じ設定作業を行っていた。【０００４】
しかし、紙幣処理装置の操作部や表示部の大きさは制約があるため、複雑な分類パターンを設定する作業は困難であり、オペレータの誤操作を招き易いという問題があった。また、同じ分類パターンを複数の紙幣処理装置に設定する場合にも、オペレータの誤操作を招き易いという問題があった。
【特許文献１】特開昭５９−２１１８４号公報
【発明の開示】
【発明が解決しようとする課題】
【０００５】
本発明の目的は、分類パターンを設定する作業を容易にし、オペレータの誤操作を防ぐことである。
【課題を解決するための手段】
【０００６】
本発明の第１態様によれば、分類パターンに基づいて紙幣を集積する紙幣処理装置に対して、前記分類パターンを作成する分類パターン作成方法であって、集積する紙幣の金種について、複数の候補から１つを選択する金種選択ステップと、集積する紙幣の刷種について、前記金種選択ステップの選択内容と独立に複数の候補から１つを選択する刷種選択ステップと、集積する紙幣の方向について、前記金種選択ステップ及び前記刷種選択ステップの選択内容と独立に複数の候補から１つを選択する方向選択ステップと、集積する紙幣の正損について、前記金種選択ステップ、前記刷種選択ステップ、及び前記方向選択ステップの選択内容と独立に複数の候補から１つを選択する正損選択ステップと、前記金種選択ステップ、前記刷種選択ステップ、前記方向選択ステップ、及び前記正損選択ステップの選択内容を組み合わせて前記分類パターンを作成する作成ステップと、を備えたことを特徴とする分類パターン作成方法が提供される。【０００７】
本発明の第２態様によれば、分類パターンに基づいて紙幣を集積する紙幣処理装置に対して前記分類パターンを作成する分類パターン作成装置であって、集積する紙幣の金種について、複数の候補から１つを選択する金種選択手段と、集積する紙幣の刷種について、前記金種選択手段の選択内容と独立に複数の候補から１つを選択する刷種選択手段と、集積する紙幣の方向について、前記金種選択手段及び前記刷種選択手段の選択内容と独立に複数の候補から１つを選択する方向選択手段と、集積する紙幣の正損について、前記金種選択手段、前記刷種選択手段、及び前記方向選択手段の選択内容と独立に複数の候補から１つを選択する正損選択手段と、前記金種選択手段、前記刷種選択手段、前記方向選択手段、及び前記正損選択手段の選択内容を組み合わせて前記分類パターンを作成する作成手段と、を備えたことを特徴とする分類パターン作成装置が提供される。【０００８】
本発明の第３態様によれば、分類パターンに基づいて紙幣を集積する紙幣処理装置と、前記紙幣処理装置に対して前記分類パターンを作成する分類パターン作成装置と、前記紙幣処理装置と前記分類パターン作成装置との間の通信を行うための第１ネットワークと、を含む分類パターン作成システムであって、前記分類パターン作成装置は、集積する紙幣の金種について、複数の候補から１つを選択する金種選択手段と、集積する紙幣の刷種について、前記金種選択手段の選択内容と独立に複数の候補から１つを選択する刷種選択手段と、集積する紙幣の方向について、前記金種選択手段及び前記刷種選択手段の選択内容と独立に複数の候補から１つを選択する方向選択手段と、集積する紙幣の正損について、前記金種選択手段、前記刷種選択手段、及び前記方向選択手段の選択内容と独立に複数の候補から１つを選択する正損選択手段と、前記金種選択手段、前記刷種選択手段、前記方向選択手段、及び前記正損選択手段の選択内容を組み合わせて前記分類パターンを作成する作成手段と、前記作成手段により作成された前記分類パターンを前記紙幣処理装置に送信する第１送信手段を備え、前記紙幣処理装置は、前記第１送信手段により送信された前記分類パターンを記憶するメモリを備えたことを特徴とする分類パターン作成システムが提供される。
【発明の効果】
【０００９】
本発明によれば、分類パターンを設定する作業を容易にし、オペレータの誤操作を防ぎ、ひいては、オペレータの作業負担を軽減することができる。
【図面の簡単な説明】
【００１０】
【図１】本発明の実施例に係る紙幣処理装置１００の外観を示す斜視図である。
【図２】本発明の実施例に係る分類パターン作成システムの概略を示す概略図である。
【図３】本発明の実施例に係る紙幣処理装置１００の構成を示すブロック図である。
【図４】本発明の実施例に係る分類パターン作成装置２００の構成を示すブロック図である。
【図５】本発明の実施例１に係る分類パターン作成処理における制御手段２０１の処理手順を示すフローチャートである。
【図６】本発明の実施例１に係る分類パターン編集処理における制御手段２０１の処理手順を示すフローチャートである。
【図７】本発明の実施例１に係る正当性確認処理における制御手段２０１の処理手順を示すフローチャートである。正当性確認処理は、制御手段２０１が確認手段２０６を制御することにより行われる処理である。
【図８】実施例２に係る分類パターン記憶処理における分類パターン作成システムの処理手順を示すフローチャートである。
【図９】本発明の実施例３に係るホスト装置３００の構成を示すブロック図である。
【図１０】本発明の実施例に係る紙幣処理装置１００の内部構成の概略を示す概略図である。
【図１１】表示手段２１１に表示する画面の一例である。
【図１２】本発明の実施例４に係る紙幣処理装置１００を制御するための制御手段１１１の処理手順を示すフローチャートである。
【符号の説明】
【００１１】
１００  紙幣処理装置
１０１  取込手段
１０２ａ、ｂ  第１、第２上部集積手段
１０３  操作部（指定手段）
１０４  第１全体表示部
１０５  第２全体表示部
１０６ａ〜ｄ  第１〜第４下部集積手段
１０７ａ〜ｄ  第１〜第４個別表示手段
１０８  記憶媒体アクセス手段
１０９ａ、ｂ  第１、第２アーム
１１１  制御手段
１１２  記憶手段
１１３  識別手段
１１４  搬送路（搬送手段）
１２１〜１２７  センサ
２０１  制御手段
２０２  記憶手段
２０３  選択手段
２０４  作成手段
２０５  編集手段
２０６  確認手段
２０７  報知手段
２０８  入力支援手段
２０９  指示手段
２１１  通信制御手段
２１２  記憶媒体アクセス手段
２１３  表示手段
２１４  入力手段
【発明を実施するための最良の形態】
【００１２】
以下に、図面を参照して本発明の実施例を説明する。なお、以下の実施例は、本発明の実施の一形態に過ぎず、本発明の範囲を限定するものではない。【００１３】
図１は、本発明の実施例に係る紙幣処理装置１００の外観を示す斜視図である。図１に示すように、紙幣処理装置１００は、取込手段１０１、第１、第２上部集積手段１０２ａ、ｂ、操作部１０３、第１全体表示部１０４、第２全体表示部１０５、第１〜第４下部集積手段１０６ａ〜ｄ、及び第１〜第４個別表示手段１０７ａ〜ｄを備えている。【００１４】
取込手段１０１は、オペレータによって複数の紙幣が積層状態で載置されるようになっており、載置された紙幣を取り込むようになっている。第１、第２上部集積手段１０２ａ、ｂは、後述する第１〜第４下部集積手段１０６ａ〜ｄに集積されなかった紙幣を排出する。例えば、第１上部集積手段１０２ａは、取込手段１０１により取り込まれた紙幣がリジェクト紙幣（例えば、搬送異常により識別不能な紙幣や偽券）である場合に当該紙幣が排出され、第２上部集積手段１０２ｂは、第１〜第４下部集積手段１０６ａ〜ｄに集積する特定金種以外の紙幣が排出される。また、第１、第２上部集積手段１０２ａ、ｂには、それぞれ、一対のアームで構成されたストッパが設けられている。一対のアームは、下端部が揺動可能に軸支され上方に伸びる第１アーム１０９ａと、第１アーム１０９ａの先端に揺動可能に軸支され水平方向に伸びる第２アーム１０９ｂとから成り、排出された紙幣が装置外に飛び出さないように受け止めるとともに、排出された紙幣を取り出し易くするために２方向（上側及び取込手段１０１が設けられている右方向）に可動となっている。【００１５】
操作部１０３は、オペレータからの指示を受け付けるための入力キーを有し、後述する設定手段として動作する。第１全体表示部１０４及び第２全体表示部１０５は、所定のデータ（例えば、グラフィックデータ）を表示するようになっている。【００１６】
第１〜第４下部集積手段１０６ａ〜ｄは、取込手段１０１により取り込まれた紙幣を当該紙幣の属性（例えば、金種、方向及び表裏（すなわち、紙幣の向き）、正損、新旧）毎に分類して集積するようになっている。第１〜第４個別表示手段１０７ａ〜ｄは、第１〜第４下部集積手段１０６ａ〜ｄに対応して設けられており、対応する第１〜第４下部集積手段１０６ａ〜ｄの集積枚数等を表示するようになっている。【００１７】
図１０は、本発明の実施例に係る紙幣処理装置１００の内部構成の概略を示す概略図である。図１０に示すように、取込手段１０１から第１〜第４下部集積手段１０６ａ〜ｄに紙幣を集積する搬送路（搬送手段）１１４が内部に設けられている。この搬送手段１１４は通常の場合、ベルト搬送機構が組み合わされたものからなる。搬送手段１１４に沿って種々のセンサ１２１〜１２７が設けられている。取込手段１０１の出口側に設けられたセンサ１２１及び後述する識別部１１３の入口側に設けられたセンサ１２２は、それぞれ、紙幣が確実に取り込まれたことを検知するようになっている。搬送手段１１４に設けられた識別手段１１３は様々な検知手段から構成されており、取込手段１０１から取り込まれた紙幣の正損、真偽、金種、方向、表裏等を検知するようになっている。例えば、識別手段１１３は、透過センサからなるセンサ１２３を有している。【００１８】
図２は、本発明の実施例に係る分類パターン作成システムの概略を示す概略図である。本発明の実施例に係る分類パターン作成システムは、１又は複数の紙幣処理装置１００と分類パターン作成装置２００とが第１ネットワーク４００を介して接続され、１又は複数の分類パターン作成装置２００とホスト装置３００とが第２ネットワーク４１０を介して接続されている。例えば、複数の紙幣処理装置１００と、１又は複数の分類パターン作成装置２００とが１つの店舗内に設けられており、互いに遠隔地にある複数の店舗と接続されるホスト装置３００がリモートセンタ等に設けられている。【００１９】
図３は、本発明の実施例に係る紙幣処理装置１００の構成を示すブロック図である。本発明の実施例に係る紙幣処理装置１００は、取込手段１０１、操作部（設定手段）１０３、記憶媒体アクセス手段１０８、識別手段１１３、搬送手段１１４、及び通信制御手段１１５を制御する制御手段１１１と、メモリ１１２とを有している。【００２０】
記憶媒体アクセス手段１０８は、ＣＦカード等の記憶媒体を挿入するためのメモリスロットであって、当該記憶媒体との間でデータの読み出し／書き込みを行うようになっており、紙幣処理装置１００の内部に設けられている。【００２１】
メモリ１１２には、制御手段１１１が各手段を制御するための制御プログラムと、後述する分類パターンとが記憶されている。通信制御手段１１５は、分類パターン作成装置２００との間でデータの送受信を行う。【００２２】
図４は、本発明の実施例に係る分類パターン作成装置２００の構成を示すブロック図である。本発明の実施例に係る分類パターン作成装置２００は、通信制御手段２１１、記憶媒体アクセス手段２１２、表示手段２１３、及び入力手段２１４を制御する制御手段２０１と、記憶手段２０２とを有している。【００２３】
制御手段２０１は、選択手段２０３、作成手段２０４、編集手段２０５、確認手段２０６、報知手段２０７、入力支援手段２０８、及び指示手段２０９を表示手段２１３に表示してオペレータの指示を受け付ける。記憶手段２０２には、制御手段２０１が各手段を制御するための制御プログラムと、後述する分類パターンとが記憶されている。【００２４】
選択手段２０３は、金種選択手段２０３ａ、刷種選択手段２０３ｂ、方向選択手段２０３ｃ、及び正損選択手段２０３ｄを有し、オペレータの指示に基づいて分類条件を選択する。作成手段２０４は、選択された分類条件に基づいて分類パターンを作成し、記憶手段２０２に記憶する。編集手段２０５は、記憶手段２０２に記憶された分類パターンを読み出し、編集後に上書きして記憶する。確認手段２０６は、分類パターン（分類条件の組み合わせ）の正当性を確認する。報知手段２０７は、分類パターン作成処理における種々の情報をオペレータに対して報知する。入力支援手段２０８は、分類パターンに正当性がない場合に分類条件の再入力を支援する。指示手段２０９は、１又は複数の紙幣処理装置１００に対して指示を行う。【００２５】
通信制御手段２１１は、紙幣処理装置１００及びホスト装置３００との間でデータの送受信を行う。記憶媒体アクセス手段２１２は、ＣＦカード等の記憶媒体を挿入するためのメモリスロットであって、当該記憶媒体との間でデータの読み出し／書き込みを行う。表示手段２１３は、選択手段２０３、作成手段２０４、編集手段２０５、確認手段２０６、及び入力支援手段２０８としての画面表示を行う。入力手段２１４は、オペレータが指示を入力するためのものである。例えば、通信制御手段２１１はネットワークインタフェースであり、表示手段２１３は液晶ディスプレイであり、入力手段２１４はキーボードやマウスである。【００２６】
図１１は、表示手段２１１に表示する画面の一例である。パターンタブ１１０１は、分類条件の組み合わせから成る分類パターンを選択するボタンである。スタッカ表示１１０２は、紙幣処理装置１００のスタッカ（例えば、図１の第１〜第４下部集積手段１０６ａ〜ｄ）を示す表示である。【００２７】
金種設定欄１１０３は、金種選択手段２０３ａとしての画面であり、オペレータによりプルダウン方式で入力された内容が金種条件として選択される。刷種設定欄１１０４は、刷種設定手段２０３ｂとしての画面であり、オペレータによりプルダウン方式で入力された内容が刷種条件として選択される。ここで、刷種とは、紙幣の新旧の種類を示すものである。方向設定欄１１０５は、方向選択手段２０３ｃとしての画面であり、オペレータによりプルダウン方式で入力された内容が方向条件として選択される。正損設定欄１１０６は、正損選択手段２０３ｄとしての画面であり、オペレータによりプルダウン方式で入力された内容が正損条件として選択される。【００２８】
編集ボタン１１０７は編集手段２０５としての画面であり、記憶手段２０２に記憶された分類パターンを読み出す。作成ボタン１１０８は作成手段２０３としての画面であり、分類条件を組み合わせて分類パターンを作成する。【００２９】
記憶媒体出力ボタン１１０９が押下されると、記憶媒体アクセス手段２１２により分類パターンが記憶媒体に書き込まれる。ネットワーク出力ボタン１１１０が押下されると、通信制御手段２１０により分類パターンが紙幣処理装置１００へ送信される。指示ボタン１１１３は、指示手段２０９としての画面であり、ネットワーク出力ボタン１１１０が押下された場合に押下可能となる。指示ボタン１１１３が押下されると、通信制御手段２１０は、送信済みの分類パターンに基づく分類開始の指示を紙幣処理装置１００に送信する。【００３０】
メッセージウィンドウ１１１１は、報知手段２０７としての画面であり、種々のメッセージが表示される。カーソル１１１２は、分類条件の入力やボタン押下を行うための入力カーソルである。【００３１】
報知手段２０７は、確認手段２０６により分類パターンの正当性が確認されなかった場合に、その旨を示すメッセージ（例えば、「＊＊設定が正しくありません。」）をメッセージウィンドウ１１１１に表示する。【００３２】
入力支援手段２０８は、正当でない分類条件（異なるスタッカで同一の条件が入力されている項目）を再入力するための位置までカーソル１１１２を移動させる。ここで、正当でない分類条件の設定欄１１０３〜１１０６を点滅させるようにしても良い。
【実施例１】
【００３３】
次に、本発明の実施例１について説明する。図５は、本発明の実施例１に係る分類パターン作成処理における制御手段２０１の処理手順を示すフローチャートである。【００３４】
はじめに、図１１の金種設定欄１１０３に入力された内容を金種条件として選択するように金種選択手段２０３ａを制御する（Ｓ５０１）。続いて、図１１の刷種設定欄１１０４に入力された内容を刷種条件として選択するように刷種選択手段２０３ｂを制御する（Ｓ５０２）。続いて、図１１の方向設定欄１１０３に入力された内容を方向条件として選択するように方向選択手段２０３ｃを制御する（Ｓ５０３）。続いて、図１１の正損設定欄１１０４に入力された内容を正損条件として選択するように正損選択手段２０３ｄを制御する（Ｓ５０４）。なお、Ｓ５０１〜Ｓ５０４はオペレータにより入力された順番に応じて順不同であり、互いに独立して条件を選択する。【００３５】
続いて、作成ボタン１１０８が押下された後にＳ５０１〜Ｓ５０４において選択された分類条件を組み合わせて分類パターンを作成するように作成手段２０４を制御する（Ｓ５０５）。続いて、分類パターンを記憶手段２０２に記憶し（Ｓ５０６）、分類パターン作成処理を終了する。【００３６】
図６は、本発明の実施例１に係る分類パターン編集処理における制御手段２０１の処理手順を示すフローチャートである。分類パターン編集処理は、制御手段２０１が編集手段２０５を制御することにより行われる処理である。【００３７】
はじめに、図１１の編集ボタン１１０７が押下された後に、記憶手段２０２に記憶された分類パターンを読み出す（Ｓ６０１）。続いて、図５のＳ５０１〜Ｓ５０５と同様の処理を行う（Ｓ６０２）。続いて、分類パターンを記憶手段２０２に上書きして記憶し（Ｓ６０３）、分類パターン編集処理を終了する。【００３８】
図７は、本発明の実施例１に係る正当性確認処理における制御手段２０１の処理手順を示すフローチャートである。正当性確認処理は、制御手段２０１が確認手段２０６を制御することにより行われる処理である。【００３９】
はじめに、作成ボタン１１０８が押下された後に（図５のＳ５０５）、Ｓ５０１〜Ｓ５０４において選択された分類パターンの正当性を確認する（Ｓ７０１）。ここで、分類パターンの正当性がない場合とは、１つの紙幣の集積先が１つに定まらない場合である。例えば、スタッカ１とスタッカ２の金種条件として「１０００」が選択された場合であって、その他の条件に何も選択されていない場合には、千円札の集積先がスタッカ１と２の複数存在してしまうため、正当性がないと判断される。【００４０】
正当であると判断された場合には（Ｓ７０１−Ｙｅｓ）、図５のＳ５０５、Ｓ５０６と同様の処理を行う（Ｓ７０２）。一方、正当でないと判断された場合には（Ｓ７０１−Ｎｏ）、入力支援を行う（Ｓ７０３）。具体的には、正当でない項目に代えて正当な項目を各設定欄１１０３〜１１０６に表示しても良いし、カーソル１１１２を正当でない項目の設定欄に移動させても良いし、メッセージウィンドウ１１１１に正当でない項目を報知しても良い。Ｓ７０２又はＳ７０３の処理が終了した後、正当性確認処理を終了する。【００４１】
実施例１によれば、比較的大きな表示手段２１３を有する分類パターン作成装置２００が分類パターンを作成するので、分類パターンを設定する際のオペレータの作業を容易にし、誤操作を防ぐことができる。【００４２】
さらに、分類パターンの正当性を確認するので、複雑な分類パターンを作成する際にも分類パターンが正当でないことをオペレータに明示することができる。また、分類パターン作成処理の制御プログラムに正当な分類パターンを導くための複雑なアルゴリズムを導入する必要がないので、制御プログラムを簡素化することができる。
【実施例２】
【００４３】
次に、本発明の実施例２について説明する。実施例１では、分類パターンを作成する例について説明したが、実施例２では、作成した分類パターンを紙幣処理装置１００のメモリに記憶する例について説明する。なお、実施例１と同様の内容についての説明は省略する。【００４４】
図８は、実施例２に係る分類パターン記憶処理における分類パターン作成システムの処理手順を示すフローチャートである。はじめに、分類パターン作成装置２００は、記憶手段２０２に記憶された分類パターンを読み出す（Ｓ８０１）。続いて、記憶媒体に記憶する場合には（Ｓ８０２−Ａ）、記憶媒体アクセス手段２１２を制御して分類パターンを書き込む（Ｓ８０３）。また、紙幣処理装置１００のメモリ１１２に直接記憶する場合には（Ｓ８０２−Ｂ）、通信制御手段２１１を制御して分類パターンを送信する（Ｓ８０４）。【００４５】
一方、紙幣処理装置１００は、記憶媒体が記憶媒体アクセス手段１０８に挿入された場合には（Ｓ８１１−Ｙｅｓ）、記憶媒体に記憶された分類パターンをメモリ１１２に記憶する（Ｓ８１２）。また、通信制御手段１１５により分類パターン作成装置２００から送信された分類パターンの受信が完了した場合には（Ｓ８１３−Ｙｅｓ）、受信した分類パターンをメモリ１１２に記憶する（Ｓ８１２）。Ｓ８１２が終了した後、分類パターン記憶処理を終了する。【００４６】
実施例２によれば、記憶媒体やネットワークを介して紙幣処理装置１００のメモリ１１２に分類パターンを記憶するので、紙幣処理装置１００の小さな操作部１０３での作業を軽減することができる。
【実施例３】
【００４７】
次に、本発明の実施例３について説明する。実施例１、２では、分類パターン作成装置２００において分類パターンを作成する例について説明したが、実施例３では、ホスト装置３００において分類パターンを作成する例について説明する。なお、実施例１、２と同様の内容についての説明は省略する。【００４８】
図９は、本発明の実施例３に係るホスト装置３００の構成を示すブロック図である。ホスト装置３００は、図４の選択手段２０３と同様の指示手段３０３、通信制御手段３０４を、表示手段３０５、及び入力手段３０６を制御する制御手段３０１と、記憶手段３０２とを有している。【００４９】
制御手段３０１は、指示手段３０３、通信制御手段３０４、表示手段３０５、及び入力手段３０６を制御する。記憶手段３０２には、制御手段３０１が各手段を制御するための制御プログラムが記憶されている。指示手段３０３は、１又は複数の分類パターン作成装置２００に対して指示を行う。通信制御手段３０４は、分類パターン作成装置２００との間でデータの送受信を行う。表示手段２１３は、指示手段３０３としての画面を表示する。入力手段３０６は、オペレータが指示の入力を行うためのものである。例えば、通信制御手段３０４はネットワークインタフェースであり、表示手段３０５は液晶ディスプレイであり、入力手段３０６はキーボードやマウスである。【００５０】
実施例３によれば、遠隔地にある複数の分類パターン作成装置２００において同じ分類パターンを作成する場合であっても、ホスト装置３００を用いて一括して指示を行うことができるので、分類パターンを設定する作業を容易にし、オペレータの誤操作を防ぐことができる。
【実施例４】
【００５１】
次に、本発明の実施例４について説明する。実施例１〜３では、分類パターンを作成する例について説明したが、実施例４では、作成した分類パターンに基づいて紙幣処理装置１００を制御する例について説明する。【００５２】
図１２は、本発明の実施例４に係る紙幣処理装置１００を制御するための制御手段１１１の処理手順を示すフローチャートである。はじめに、制御手段１１１は、載置された紙幣を１枚ずつ取り込むように取込手段１０１を制御する（Ｓ１２０１）。続いて、取込手段１０１により取り込まれた紙幣の属性を識別するように識別手段１１３を制御する（Ｓ１２０２）。Ｓ１２０２の識別結果がリジェクト紙幣である場合には（Ｓ１２０３−Ｙｅｓ）、第１上部集積手段１０２ａへ搬送するように搬送手段１１４を制御する（Ｓ１２０４）。【００５３】
一方、Ｓ３０２の識別結果がリジェクト紙幣でない場合であって（Ｓ１２０３−Ｎｏ）、メモリ１１２に記憶された分類パターンに該当する場合には（Ｓ１２０５−Ｙｅｓ）、分類パターンに基づいて第１〜第４下部集積手段１０６ａ〜ｄの何れかへ搬送するように搬送手段を制御する（Ｓ１２０６）。また、Ｓ３０２の識別結果が分類パターンに該当しない場合には（Ｓ１２０５−Ｎｏ）、第２上部集積手段１０２ｂへ搬送するように搬送手段１１４を制御する（Ｓ１２０７）。【００５４】
Ｓ１２０４、Ｓ１２０６、Ｓ１２０７の何れかが終了した後に取込手段１０１に紙幣が残っている場合には（Ｓ１２０８−Ｙｅｓ）、Ｓ１２０１へ戻る。また、Ｓ１２０４、Ｓ１２０６、Ｓ１２０７の何れかが終了した後に取込手段１０１に紙幣が残っていない場合には（Ｓ１２０８−Ｎｏ）、制御を終了する。【００５５】
実施例４によれば、第１〜第４下部集積手段１０６ａ〜ｄには取込手段１０１に載置された際の紙幣が作成した分類パターンに応じて集積されるので、紙幣の分類処理におけるオペレータの作業負担を軽減することができる。
【図１】
2008096429.tif 000003
【図２】
2008096429.tif 000004
【図３】
2008096429.tif 000005
【図４】
2008096429.tif 000006
【図５】
2008096429.tif 000007
【図６】
2008096429.tif 000008
【図７】
2008096429.tif 000009
【図８】
2008096429.tif 000010
【図９】
2008096429.tif 000011
【図１０】
2008096429.tif 000012
【図１１】
2008096429.tif 000013
【図１２】
2008096429.tif 000014
【国際調査報告】
2008096429.tif 000015
2008096429.tif 000016
2008096429.tif 000017